(57)【要約】【課題】ダボを覆うことによって見栄えを良くし、脱落の虞れがなく、しかも単純な構造で製作が容易な棚板取付補助具を提供する。【解決手段】本発明の棚板取付補助具１は、ダボ３を使用して棚板２１を側板２０に取り付ける際に使用する棚板取付補助具であって、棚板２１が載置されたダボ部分３２を棚板２１の下面側から覆う覆い体１０と、覆い体１０から立ち上がり、ダボ３が挿通するダボ挿通孔１２を有する係止体１１とを備える。【選択図】図１
2018064797.tif 000002
【特許請求の範囲】
【請求項１】
ダボを使用して棚板を棚板被取付部に取り付ける際に用いる棚板取付補助具であって、
棚板が載置されたダボ部分を棚板の下面側から覆う覆い体と、
該覆い体から立ち上がり、前記ダボが挿通するダボ挿通孔を有する係止体とを備えたことを特徴とする棚板取付補助具。
【請求項２】
前記ダボ挿通孔の少なくとも一部の縁から延びる、前記棚板被取付部に形成された前記ダボの挿入孔に差し込む差込片とを備えた請求項１に記載の棚板取付補助具。
【請求項３】
前記係止体と前記差込片とが４５°〜９０°の角度をなす請求項２に記載の棚板取付補助具。
【請求項４】
前記覆い体と前記係止体とが弾性を有しており、
前記覆い体と前記係止体とが４５°〜９０°の角度をなす請求項１〜３いずれか１項に記載の棚板取付補助具。
【請求項５】
絶縁体で形成されている請求項１〜４いずれか１項に記載の棚板取付補助具。
【請求項６】
前記係止体を挟んで前記覆い体とは反対側に延びる、前記覆い体を前記棚板側に弾性付勢するための支え体を備えた請求項１〜５いずれか１項に記載の棚板取付補助具。
【発明の詳細な説明】
【技術分野】
【０００１】
本発明は、ダボを使用して棚板を取り付ける際に用いる棚板取付補助具に関するものである。
【背景技術】
【０００２】
従来より、本棚や商品棚等において左右の側板の内側面に高さ方向に複数のダボ穴を形成し、所望の高さ位置のダボ穴にダボを嵌入して、このダボのダボ穴からの突出部分に棚板を載置する棚板構造が知られている。このようなダボを使用した棚板構造においては、例えば棚板の下面の左右端の前後２箇所に、ダボ挿入用の凹部を設け、この凹部にダボの突出部分が挿入されるようにダボの突出部分上に棚板を載置するものがある。ところが上記構造では、棚板を下面側から見たとき上記凹部とダボの突出部分がそのまま見えることとなり、見栄えが良くない。これに対し、特許文献１に、ダボが挿入されるダボ挿入溝を有し上記棚板の凹部に装着される棚板取付具本体と、ダボ挿入溝の下方の開口を塞ぐ蓋部材とを備えた棚板取付具が開示されている。
【先行技術文献】
【特許文献】
【０００３】
【特許文献１】特開２０１５−１２９２５号公報
【発明の概要】
【発明が解決しようとする課題】
【０００４】
上記特許文献１に記載された棚板取付具によれば、ダボが挿入されるダボ挿入溝が蓋部材で覆われているので棚板の下方からの見栄えは良いが、棚板取付具本体には、蓋部材を棚板取付具本体に取り付けるための構造が必要であり、構造が複雑で製作コストも高いという問題がある。また蓋部材に予期しない外力が加わった場合には、蓋部材が脱落してしまう虞がある。
【０００５】
本発明はかかる事情に鑑みてなされたものであり、ダボを覆うことによって見栄えを良くし、脱落の虞れがなく、しかも単純な構造で製作が容易な棚板取付補助具を提供することを目的とする。
【課題を解決するための手段】
【０００６】
本発明の棚板取付補助具は、
ダボを使用して棚板を棚板被取付部に取り付ける際に用いる棚板取付補助具であって、
棚板が載置されたダボ部分を棚板の下面側から覆う覆い体と、
覆い体から立ち上がり、ダボが挿通するダボ挿通孔を有する係止体とを備えたものである。
【０００７】
本発明において、「ダボ」は、本棚、商品棚等の各種の棚板の棚板受として使用される棚板受用ダボを意味し、木製のものの他、金属製、プラスチック等の樹脂製等、様々な材質のものを含むものとする。また「ダボ」は、棚を支持可能であればよく、その形状は角柱状や円柱状のものに限らず平板状等種々の形状のものを使用することができる。また、ダボは棚板被取付部に取り付けられて棚板被取付部から突出した部分で棚板を支持するものであって、ダボの棚板被取付部への取付けは固定的な取付けであっても良いし、着脱可能な取付けであっても良く、着脱可能な取付けの場合の取付構造も単純差し込み式やねじ込み式等種々の構造を用い得る。
【０００８】
また本発明において、「棚板被取付部」は、棚の側板や壁等、ダボが取り付けられる部材を意味する。
【０００９】
また本発明において、「ダボ部分」は、ダボのうち棚板の下側に位置して、棚板が載置され、下方から見える部分を意味する。
【００１０】
本発明の棚板取付補助具は、ダボ挿通孔の少なくとも一部の縁から延びる、棚板被取付部に形成されたダボの挿入孔に差し込む差込片とを備えることができる。
【００１１】
本発明の棚板取付補助具は、係止体と差込片とが４５°〜９０°の角度をなすことができる。
【００１２】
本発明の棚板取付補助具は、覆い体と係止体とが弾性を有しており、覆い体と係止体とが４５°〜９０°の角度をなすことができる。
ここで「覆い体と係止体とが弾性を有しており、」とは、覆い体と係止体とを両者間の角度が大きくなる方向に、つまり互いに離れる方向に拡げたとき、両者に互いに近づく方向の弾性力が作用するものであることを意味する。
【００１３】
本発明の棚板取付補助具は、絶縁体で形成することができる。
【００１４】
本発明の棚板取付補助具は、係止体を挟んで覆い体とは反対側に延びる、覆い体を棚板側に弾性付勢するための支え体を備えていてもよい。
【発明の効果】
【００１５】
本発明の棚板取付補助具は、ダボを使用して棚板を棚板被取付部に取り付ける際に用いるものであって、棚板が載置されたダボ部分を棚板の下面側から覆う覆い体と、覆い体から立ち上がり、ダボが挿通するダボ挿通孔を有する係止体とを備えているので、棚板の下方からの見栄えを良くすることができ、かつダボ挿通孔にダボが挿通するので、棚板取付補助具に外力が加わっても棚板取付補助具が脱落するのを防止することができる。またダボがダボ挿通孔に挿通可能な形状であれば、ダボや棚板の形状を問わずに種々のものに使用することができる。さらに、覆い体とダボ挿通孔を有する係止体を備えているだけの単純構造であって、容易かつ安価に製作することができる。
【図面の簡単な説明】
【００１６】
【図１】本発明の第１の実施形態に係る棚板取付補助具の斜視図
【図２】図１の棚板取付補助具の展開図
【図３】図１の棚板取付補助具の側面図
【図４】棚の右側部分を斜め下方向から見た斜視図
【図５】ダボの斜視図
【図６】棚板取付補助具の取付方法を説明するための図
【図７】棚板取付補助具が取り付けられた棚板の一部拡大断面図
【図８】本発明の第２の実施形態に係る棚板取付補助具の斜視図
【図９】本発明の第３の実施形態に係る棚板取付補助具の斜視図
【図１０】本発明の第４の実施形態に係る棚板取付補助具の斜視図
【図１１】本発明の第５の実施形態に係る棚板取付補助具の斜視図
【図１２】本発明の第６の実施形態に係る棚板取付補助具の斜視図
【図１３】図１２の棚板取付補助具の展開図
【図１４】照明器具が取り付けられた棚板の構造を説明するための簡易断面図
【図１５】図１２の棚板取付補助具の取付方法を説明するための図
【発明を実施するための形態】
【００１７】
以下、図面を参照して本発明の実施の形態を説明する。図１は本発明の第１の実施形態に係る棚板取付補助具１の斜視図、図２は図１の棚板取付補助具１の展開図、図３は図１の棚板取付補助具１の側面図である。なお本実施形態においては、便宜上、棚板２１をダボ３に載置したときに、棚板２１が位置する側を上側、ダボ３が位置する側を下側として、以下、説明する。つまり図１においては、棚板取付補助具１の使用時には図中の上方が上側になるので、図中の上方を上側として説明する。
【００１８】
棚板取付補助具１は、図４に示すようにダボ３を使用して棚板２１を棚板被取付部の一例である側板２０に取り付ける際に使用するものであって、図１に示すように、棚板２１が載置されたダボ部分３２すなわちダボ３のうちの棚板２１の下側に位置して下方から見える部分を棚板２１の下面側から覆うシート状の矩形の覆い体１０と、覆い体１０の端縁から立ち上がるシート状の矩形の係止体１１とを備えている。係止体１１は、中央にダボ３が挿通する矩形のダボ挿通孔１２と、このダボ挿通孔１２の上端縁から覆い体１０とは反対の方向に延びる矩形の差込片１３を備えている。
【００１９】
ダボ挿通孔１２は、ダボ３のダボ部分３２が挿通可能な大きさで形成されており、ダボ挿通孔１２の上端縁から覆い体１０までの距離ｌは、棚板２１の凹部２１ａの深さｄ（図７参照）と同じに形成されている。
【００２０】
棚板取付補助具１は、図２に示すように、不透明なＰＰ（ポリプロピレン）またはＰＥＴ（ポリエチレンテレフタレート）製の厚さ０．３ｍｍの１枚の矩形のシートから形成されている。矩形のシートを、図中破線で示す谷折り線１０ａで谷折りして立ち上げることにより覆い体１０と係止体１１が形成される。係止体１１の中央部にはコの字状の切込み１１ａが設けられており、切込み１１ａの始点と終点を結ぶ破線で示す谷折り線１１ｂで切込み１１ａの内側部分を覆い体１０とは反対側に折り曲げると、図１に示すダボ挿通孔１２と差込片１３とが形成される。
【００２１】
なお本実施形態の棚板取付補助具１は、図３に示すように、覆い体１０と係止体１１とは角度θ１が８０°、係止体１１と差込片１３とは角度θ２が８０°になるようにそれぞれ折り曲げられている。覆い体１０と係止体１１とは、両者を離れた方向に、つまり角度θ１が大きくなる方向に拡げたときに両者間に元の位置に戻ろうとする弾性力が作用し、係止体１１と差込片１３も同様に、両者を離れる方向に、つまり角度θ２が大きくなる方向に拡げたときに両者間に元の位置に戻ろうとする弾性力が作用する性質を有している。この様な性質は、例えば適当な厚さの硬質プラスチックシートや金属シートを折り曲げて形成することによって得られる。
【００２２】
ここで棚板取付補助具１が装着される棚２の一例について説明する。図４は棚２の右側部分を斜め下方向から見た斜視図、図５はダボ３の斜視図である。
【００２３】
棚２は、左右の側板２０（左の側板は図示せず）を備えている。左右の側板２０には、図４に示すように、内側面の上下方向に間隔をおいて形成されたダボ穴２０ａが後側と前側にそれぞれ形成されている（後側のダボ穴２０ａは図示せず）。ダボ３は、図５に示すように、角柱体であり、図中破線３ａより右側のダボ穴２０ａに挿入される挿入部３１と、破線３ａより左側の側板２０から突出するダボ部分３２とで構成されている。棚板２１は、図４に示すように、下面の左右端の前後にそれぞれ端縁に繋がる凹部２１ａが形成されている。
【００２４】
棚２は、任意の高さ位置の、左右前後の４つのダボ穴２０ａにそれぞれダボ３の挿入部３１が挿入され、側板２０から突出したダボ部分３２に棚板２１の凹部２１ａが覆い被さる、すなわちダボ部分３２に棚板２１が載置される。
【００２５】
次に上述した構成の棚２に棚板取付補助具１を取り付ける方法について説明する。図６は棚板取付補助具１の取付方法を説明するための図、図７は棚板取付補助具１が取り付けられた棚板２１の一部拡大断面図である。
【００２６】
まず図６（ａ）に示すように、ダボ穴２０ａにダボ３の挿入部３１が装入された状態で、かつ棚板２１が取り付けられていない状態において、差込片１３をダボ穴２０ａに差し込みながら、棚板取付補助具１のダボ挿通孔１２にダボ３のダボ部分３２を挿通させる。なお、ダボ３のダボ穴２０ａへの挿入時に、差込片１３をダボ３の挿入部３１と一緒にダボ穴２０ａに差し込んでもよい。特にダボ３とダボ穴２０ａとがねじ込み式の場合やダボ３のダボ部分３２が挿入部３１よりも大径であってダボ３に段差のある場合には、差込片１３をダボ３の挿入部３１と一緒にダボ穴２０ａに差し込む方がよい。またダボ３がダボ穴２０ａに装入されていない状態で、先にダボ穴２０ａに差込片１３を挿入し、その後でダボ３の挿入部３１を棚板取付補助具１のダボ挿通孔１２に挿通し、ダボ穴２０ａに装入するようにしてもよい。
【００２７】
差込片１３は、ダボ穴２０ａに差し込む前の状態においては、図１及び図３に示すように、ダボ挿通孔１２に面する側の係止体１１とのなす角度θ２が８０°となっているので、係止体１１を側板２０と略平行にして差込片１３をダボ穴２０ａに挿入する際には、上記角度θ２が９０°以上であるときよりも差込片１３の挿入方向の先端がダボ３側に位置するため、差込片１３をダボ３に案内されながらダボ穴２０ａに挿入できるので挿入し易い。
【００２８】
そして、左右の側板２０の前側と後側のダボ穴２０ａ、すなわち４か所のダボ穴２０ａにおいて、上述したように差込片１３をダボ穴２０ａに差し込みながら、ダボ挿通孔１２にダボ部分３２を挿通させて、係止体１１を側板２０の内側面に接触させた状態で、図６(ｂ)に示すように、ダボ部分３２の上方から棚板２１の凹部２１ａを被せるようにして棚板２１を４つのダボ部分３２に載置する。係止体１１は、図７に示すように、棚板２１の側面と側板２０の内側面との間に介装され、棚板２１の凹部２１ａにはダボ部分３２が装入される。なおダボ部分３２は、棚板２１の凹部２１ａに全てが覆われる必要はなく、棚板２１が載置可能であれば、少なくとも一部が覆われていればよい。
【００２９】
棚板２１が各ダボ部分３２に載置されると、図６（ｃ）に示すように、ダボ部分３２及び棚板２１の凹部２１ａが覆い体１０によって覆われるので、棚板２１の下方からの見栄えを良くすることができる。また覆い体１０は、係止体１１が棚板２１の側面と側板２０の内側面との間に介装される前の状態においては、図３に示すように、係止体１１とのなす角度θ１が８０°となっており、係止体１１が上記間に差し込まれたときには、図７に示すように、棚板２１の下面によって覆い体１０が下方に押圧されるので、覆い体１０と係止体１１とのなす角度θ２は８０°よりも大きい９０°になる。すなわち覆い体１０と係止体１１は、両者が離れる方向に拡がるので、両者間に元の位置に戻ろうとする弾性力が作用し、覆い体１０が棚板２１の下面に接触した状態が保持されて、覆い体１０が棚板２１から浮いた状態になるのを防止することができる。
【００３０】
本実施形態の棚板取付補助具１は、ダボ挿通孔１２にダボ３が挿通するので、棚板取付補助具１に外力が加わっても棚板取付補助具１が脱落するのを防止することができる。また、差込片１３を根元までダボ穴２０ａに挿入することにより、係止体１１が側板２０の内面側に張り付くように配置されて保持されるので、図６（ｂ）に示すように、ダボ部分３２の上方から棚板２１の凹部２１ａを被せるようにして棚板２１を４つのダボ部分３２に載置する際に、手で棚板取付補助具１を抑えたりしなくても、棚板２１と側板２０との隙間に係止体１１を介在させることができる。また、ダボ３が、ダボ挿通孔１２に挿通可能な形状であれば、ダボ３や棚板２１の形状を問わずに種々のものに使用することができる。さらに、覆い体１０とダボ挿通孔１２を有する係止体１１を備えているだけの単純構造であって、容易かつ安価に製作することができる。
【００３１】
なお本実施形態において、ダボ３は角柱体のものとしたが、本発明の棚板取付補助具は挿通孔に挿通可能な形状のダボであれば良く、例えば円柱状等のダボにも取り付けることができる。
【００３２】
また本実施形態において、覆い体１０、係止体１１、ダボ挿通孔１２及び差込片１３は、矩形としたが、これらの形状は特に限定されるものではなく、棚板が載置されたダボ部分の形状やダボの径等に応じて適宜変更することができる。
【００３３】
また本実施形態においては、ダボ挿通孔１２の上端縁から覆い体１０までの距離ｌと棚板２１の凹部２１ａの深さｄ（図７参照）とを同じに形成したが、本発明の棚板取付補助具は、必ずしも同じ長さにする必要はなく、例えば距離ｌは深さｄよりも長く形成してもよい。この場合でも、例えば差込片１３をダボ挿通孔１２の上端縁から折り曲げるのではなく途中の適当な位置で折り曲げてダボ穴２０ａに挿入することで問題なくダボ部分３２を覆うことができる。
【００３４】
次に本発明に係る他の実施形態の棚板取付補助具について説明する。図８は本発明の第２の実施形態に係る棚板取付補助具１−２の斜視図、図９は本発明の第３の実施形態に係る棚板取付補助具１−３の斜視図、図１０は本発明の第４の実施形態に係る棚板取付補助具１−４の斜視図、図１１は本発明の第５の実施形態に係る棚板取付補助具１−５の斜視図である。なお各実施形態の棚板取付補助具において、上述した第１の実施形態の棚板取付補助具１と同様の構成については、同じ符号を付与してここでの詳細な説明は省略し、異なる箇所についてのみ説明する。
【００３５】
第２の実施形態の棚板取付補助具１−２は、第１の実施形態の棚板取付補助具１の差込片１３が、ダボ挿通孔１２の上端縁から覆い体１０とは反対側に延びるものであるのに対して、図８に示すように、差込片１３がダボ挿通孔１２の下端縁から覆い体１０とは反対側に延びるものである。また第３の実施形態の棚板取付補助具１−３は、図９に示すように、差込片１３がダボ挿通孔１２の側端縁から覆い体１０とは反対側に延びるものである。
【００３６】
第４の実施形態の棚板取付補助具１−４は、第１の実施形態の棚板取付補助具１の覆い体１０が矩形であるのに対して、図１０に示すように、覆い体１０の係止体１１とは反対側の端部が円弧状に形成されている。本発明において覆い体１０は、棚板２１の下方からの見栄えを良くするためのものであるため、少なくともダボ３のダボ部分３２を覆うことができればその形状は特に限定されるものではない。
【００３７】
第５の実施形態の棚板取付補助具１−５は、第１〜４の実施形態の棚板取付補助具１，１−２，１−３，１−４が差込片１３を備えるものであるのに対して、図１１に示す如く、差込片１３を備えていない。ダボ３とダボ穴２０ａとの隙間が略ない場合には、差込片１３をダボ３とダボ穴２０ａとの間に挿入することは困難であるが、本実施形態のように差込片１３を備えていない棚板取付補助具１−５によれば、ダボ３とダボ穴２０ａとの隙間が略ない場合であっても取り付けることができる。
【００３８】
次に本発明にかかるさらに他の実施形態の棚板取付補助具について説明する。図１２は本発明の第６の実施形態に係る棚板取付補助具１−６の斜視図、図１３は図１２の棚板取付補助具１−６の展開図、図１４は照明器具が取り付けられた棚板２１−６の構造を説明するための図、図１５は図１２の棚板取付補助具１−６の取付方法を説明するための図である。第６の実施形態に係る棚板取付補助具１−６は棚２−６に設置される照明器具６とＤＣ電源とを電気的に接続するための金属製のダボ３を保護するために絶縁体で形成されており、覆い体１１０を棚板２１−６側に弾性付勢するための支え体１１４を備えている。
【００３９】
本実施形態の棚板取付補助具１−６は、図１２に示すように、棚板２１−６が載置されたダボ部分３２すなわち棚板２１−６の下側に位置して下方から見える部分を棚板２１−６の下面側から覆うシート状の矩形の覆い体１１０と、覆い体１１０から立ち上がるシート状の矩形の係止体１１１とを備えている。係止体１１１は、中央にダボ３が挿通する矩形のダボ挿通孔１１２と、このダボ挿通孔１１２の上端縁から図１２において後述する延部１１４ａの端部側に延びる矩形の差込片１１３と、係止体１１１を挟んで覆い体１１０とは反対側に延びる、覆い体１１０を棚板２１−６側に弾性付勢するための支え体１１４とを備えている。覆い体１１０は、４隅が丸み面取り（丸面）されている。なお支え体１１４は、図１５（ｂ），（ｃ）に示すように、棚板取付補助具１−６が側板２０−６に取り付けられたときには覆い体１１０を挟んで係止体１１１とは反対側に折れ曲がる。
【００４０】
ダボ挿通孔１１２は、ダボ３のダボ部分３２が挿通可能な大きさで形成されており、ダボ挿通孔１１２の上端縁から覆い体１１０までの距離Ｈは、棚板２１−６の凹部２１ａの深さｄと同じに形成されている。
【００４１】
棚板取付補助具１−６は、図１３に示すように、不透明なＰＰまたはＰＥＴ製の厚さ０．３ｍｍの１枚のシート１００から形成されている。シート１００は、図中破線で示す谷折り線ｇ１に沿って折り曲げて重ねたときに４隅となる角が丸み面取りされている。またシート１００の上記谷折り線ｇ１よりも図中左側の左シート１００ａには、左端に矩形の切欠部１１０ｃが形成されており、切欠部１１０ｃを挟んで上下に対向する延部１１４ａが形成されている。
【００４２】
一方、シート１００の上記谷折り線ｇ１よりも図中右側の右シート１００ｂには、中央部に形成された右端が開放したコの字状の切込み１１１ａ、及び切込み１１１ａの内方に形成された、左端が開放したコの字状の切込み１１３ａが設けられており、切込み１１１ａの始点と終点を結ぶ破線で示す谷折り線ｇ２で切込み１１１ａの内側部分を立ち上げて、切込み１１３ａの始点と終点を結ぶ破線で示す谷折り線ｇ３で切込み１１３ａの内側部分を立ち上げると、図１２に示す係止体１１１、ダボ挿通孔１１２及び差込片１１３が形成される。
【００４３】
図１３に示すシート１００の状態から上述した谷折り線ｇ１，ｇ２，ｇ３を谷折りすることにより、図１２に示す棚板取付補助具１−６が形成される。なお図１２に示すように、右シート１００ｂと２つの延部１１４ａとが重なる部分と切欠部１１０ｃにおいて露出する右シート１００ｂとのうち、係止体１１１の立ち上がり部分すなわち上記谷折り線ｇ２よりも延部１１４ａの端部側の部分で支え体１１４が構成される。
【００４４】
本実施形態の棚板取付補助具１−６においても、上述した実施形態の棚板取付補助具１と同様に、覆い体１１０と係止体１１１とは角度θ１が８０°、係止体１１１と差込片１１３とは角度θ２が８０°になるようにそれぞれ折り曲げられており、覆い体１１０と係止体１１１とは、ＰＰまたはＰＥＴで作製されているので両者を離れる方向に、つまり角度θ１が大きくなる方向に拡げたときに両者間に元の位置に戻ろうとする弾性力が作用し、係止体１１１と差込片１１３も同様にＰＰまたはＰＥＴで作製されているので、両者を離れる方向に、つまり角度θ２が大きくなる方向に拡げたときに両者間に元の位置に戻ろうとする弾性力が作用する性質を有している。
【００４５】
ここで棚板取付補助具１−６が装着される棚２−６の一例について説明する。図１４は照明器具６が取り付けられた棚板２１−６の構造を説明するための簡易断面図である。
【００４６】
棚２−６は、左右の側板２０−６（左の側板は図示せず）を備えている。左右の側板２０−６には、図１４に示すように、ダボ穴２０ａに角柱体の挿入部３１が挿入されてダボ部分３２が突出するようにダボ３が取り付けられている。ダボ３は、導電性を有する金属で形成されており、ダボ３の挿入部３１の後端（図１４中右端）には図示しないＤＣ電源に接続される電線５ａが電気的に接続されている。
【００４７】
ダボ３に載置される棚板２１−６は、下面の左右端の前後にそれぞれ端縁に繋がる凹部２１ａが形成されており、この凹部２１ａにはダボ３が装入されるダボ受凹部４ａ（図１５参照）を有するダボ受部４が装着されている。ダボ受部４は、電線５ｂを介して照明器具６の電極６ａと電気的に接続されており、ダボ受部４のダボ受凹部４ａには電線５ｂに接続された導電部４ｂが臨んでいる。なお電線５ｂは棚板２１−６の内部に埋め込まれている。
【００４８】
上記構成の棚板２１−６は、図１４に示すように、ダボ３のダボ部分３２に載置されると、ダボ部分３２がダボ受凹部４ａに装入されてダボ部分３２と上記導電部４ｂとが電気的に接続されるので、照明器具６に図示しないＤＣ電源からダボ３を介して電気を供給することができる。
【００４９】
次に、上記のように構成された棚２−６に棚板取付補助具１−６を取り付ける方法について説明する。図１５は図１２の棚板取付補助具１−６の取付方法を説明するための図である。
【００５０】
まず図１５（ａ）に示すように、ダボ穴２０ａにダボ３の挿入部３１が挿入された状態で、かつ棚板２１−６が取り付けられていない状態において、差込片１１３をダボ穴２０ａに差し込みながら、棚板取付補助具１−６のダボ挿通孔１１２にダボ３のダボ部分３２を挿通させる。なお、ダボ３のダボ穴２０ａへの挿入時に、差込片１１３をダボ３の挿入部３１と一緒にダボ穴２０ａに差し込んでもよい。特にダボ３とダボ穴２０ａとがねじ込み式の場合やダボ３のダボ部分３２が挿入部３１よりも大径であってダボ３に段差がある場合には、差込片１１３をダボ３の挿入部３１と一緒にダボ穴２０ａに差し込む方がよい。またダボ３がダボ穴２０ａに装入されていない状態で、先にダボ穴２０ａに差込片１１３を挿入し、その後でダボ３の挿入部３１を棚板取付補助具１−６のダボ挿通孔１１２に挿通し、ダボ穴２０ａに装入するようにしてもよい。
【００５１】
差込片１１３は、ダボ穴２０ａに差し込む前の状態（図１２参照）においては、ダボ挿通孔１１２に面する側の係止体１１１とのなす角度θ２が８０°となっているので、係止体１１１を側板２０−６と略平行にして差込片１１３をダボ穴２０ａに挿入する際には、上記角度θ２が９０°以上であるときよりも差込片１１３の挿入方向の先端がダボ３側に位置するため、差込片１１３はダボ３に案内されながらダボ穴２０ａに挿入できるので挿入し易い。
【００５２】
そして、左右の側板２０−６の前側と後側のダボ穴２０ａ、すなわち４か所のダボ穴２０ａにおいて、上述したように差込片１１３をダボ穴２０ａに差し込みながら、ダボ挿通孔１１２にダボ部分３２を挿通させて、図１５（ｂ）に示すように、係止体１１１を側板２０−６の内側面に接触させ、かつ支え体１１４の延部１１４ａの表面も側板２０−６の内側面に接触させる。
【００５３】
上記の状態において、図１５(ｃ)に示すように、ダボ部分３２の上方から棚板２１−６に装入されたダボ受凹部４ａを被せるようにして棚板２１−６を４つのダボ部分３２に載置することにより、ダボ部分３２をダボ受凹部４ａに装入し、導電部４ｂとダボ部分３２とを接触させて電気的に接続する。なお、ダボ部分３２はダボ受凹部４ａに全てが覆われる必要はなく、棚板２１−６が載置可能であれば少なくとも一部が覆われていればよい。係止体１１１は、棚板２１−６の側面と側板２０−６の内側面との間に介装される。
【００５４】
棚板２１−６が各ダボ部分３２に載置されると、図１５（ｃ）に示すように、ダボ部分３２及び棚板２１−６のダボ受凹部４ａが覆い体１１０によって覆われるので、棚板２１−６の下方からの見栄えを良くすることができる。また覆い体１１０は、係止体１１１が棚板２１−６の側面と側板２０−６の内側面との間に介装される前の状態においては、図１２に示すように、係止体１１１とのなす角度θ１が８０°となっており、係止体１１１が上記間に差し込まれたときには、図１５（ｃ）に示すように、棚板２１−６の下面によって覆い体１１０が下方に押圧されるので、覆い体１１０と係止体１１１とのなす角度θ２は８０°よりも大きくなる。すなわち覆い体１１０と係止体１１１は、両者が離れる方向に拡がるので、両者間に元の位置に戻ろうとする弾性力が作用し、覆い体１１０が棚板２１−６の下面に接触した状態が保持されて、覆い体１１０が棚板２１−６から浮いた状態になるのを防止することができる。
【００５５】
また本実施形態においては、支え体１１４が、図１５（ｂ），（ｃ）に示すように、覆い体１１０を挟んで係止体１１１とは反対側に折れ曲がって、覆い体１１０を棚板２１−６側に弾性付勢する。すなわち、支え体１１４は、図１２に示す覆い体１１０と同一平面上に位置する状態から、図１５（ｂ）に示す下方に折れ曲がった状態になるので、支え体１１４と覆い体１１０とが図１２に示す上記状態に戻ろうとする力が作用し、支え体１１４が覆い体１１０を棚板２１−６の下面に向けて付勢する。これにより覆い体１１０が垂れてしまう可能性を低減することができる。
【００５６】
本実施形態の棚板取付補助具１−６は、ダボ挿通孔１１２にダボ３が挿通するので、棚板取付補助具１−６に外力が加わっても棚板取付補助具１−６が脱落するのを防止することができる。また、差込片１１３を根元までダボ穴２０ａに挿入することにより、係止体１１１が側板２０−６の内面側に張り付くように配置されて保持されるので、図１５(ｃ)に示すように、ダボ部分３２の上方から棚板２１−６に装入されたダボ受凹部４ａを被せるようにして棚板２１−６を４つのダボ部分３２に載置する際に、手で棚板取付補助具１−６を抑えたりしなくても、棚板２１−６と側板２０−６との隙間に係止体１１１を介在させることができる。また、ダボ３が、ダボ挿通孔１１２に挿通可能な形状であれば、ダボ３や棚板２１−６の形状を問わずに種々のものに使用することができる。さらに支え体１１４により覆い体１１０が棚板２１−６の下面に向けて付勢されるので、覆い体１１０が棚板２１−６の下面から浮かないようにすることができる。また棚板取付補助具１−６は絶縁体で形成されているので、ダボ部分３２を覆い体１１０によって覆うことにより導電性を有するダボ３を保護することができる。
【００５７】
上述した実施形態の棚板取付補助具１，１−２，１−３，１−４，１−５，１−６は、１枚のシートから形成することができるので、構造が単純であり、容易に形成することができ、かつコストを抑えることができる。
【００５８】
なお上述した実施形態においては、覆い体１０，１１０と係止体１１，１１１及び係止体１１，１１１と差込片１３，１１３とが８０°の角度をなすものとしたが、本発明はこれに限られるものではなく、４５°〜９０°の範囲の角度をなすものが好ましい。また上述した実施形態においては、見栄えの観点から、覆い体１０，１１０を含む棚板取付補助具１，１−２，１−３，１−４，１−５，１−６を不透明な材質で形成しているが、本発明はこれに限定されるものではなく、半透明や透明の材質で形成したものであってもよく、ダボ部分３２を覆うことができればいずれの材質で形成してもよい。また上述した実施形態においては、棚板取付補助具１，１−２，１−３，１−４，１−５，１−６は厚さ０．３ｍｍのシートから形成しているが、本発明はこれに限定されるものではなく、例えば０．１〜１ｍｍ程度のシートを好適に使用することができる。
【００５９】
また上述した実施形態の棚板取付補助具１，１−２，１−３，１−４，１−５は、第６の実施形態に係る棚板取付補助具１−６と同様に、照明器具６が設置される棚２−６に使用することができる。この場合、棚板取付補助具１，１−２，１−３，１−４，１−５は棚２−６に設置される照明器具６とＤＣ電源とを電気的に接続するための金属製のダボ３を保護することができる。また第６の実施形態に係る棚板取付補助具１−６は、第１〜５の実施形態の棚板取付補助具１，１−２，１−３，１−４，１−５と同様に、照明器具６が設置されていない棚２に使用することができる。この場合、棚板取付補助具１−６は棚板２１の下方からの見栄えを良くすることができ、かつ支え体１１４により覆い体１１０が棚板２１の下面に向けて付勢されるので、覆い体１１０が棚板２１の下面から浮かないようにすることができる。
なお上述した実施形態においては、棚板取付補助具１，１−２，１−３，１−４，１−５，１−６は、ＰＰまたはＰＥＴで形成するものとしたが、本発明はこれに限られるものではなく、ＰＰやＰＥＴ以外のプラスチック樹脂で形成してもよいし、プラスチック樹脂以外の合成樹脂で形成してもよい。また上述した実施形態においては、棚板取付補助具１，１−２，１−３，１−４，１−５，１−６は、絶縁体で形成されるものとしたが、本発明は絶縁体に限られるものではなく、アルミやステンレス等の金属や、その他の非絶縁体で形成してもよい。非絶縁体で形成された棚板取付補助具であっても、棚板２１の下方からの見栄えを良くすることができる。
【００６０】
本発明の棚板取付補助具は、上記実施形態に限られるものではなく、発明の趣旨を逸脱しない限りにおいて適宜変更することができる。
【符号の説明】
【００６１】
１，１−２，１−３，１−４，１−６      棚板取付補助具
１００      シート
１００ａ      左シート
１００ｂ      右シート
１０，１１０      覆い体
１１０ｃ      切欠部
１１，１１１      係止体
１２，１１２      挿通孔
１３，１１３      差込片
１１４      支え体
１１４ａ      延部
２，２−６      棚
２０，２０−６      側板（棚板被取付部）
２０ａ      ダボ穴（ダボの挿入孔）
２１，２１−６      棚板
２１ａ      凹部
３      ダボ
３１      挿入部
３２      ダボ部分
【図１】
2018064797.tif 000003
【図２】
2018064797.tif 000004
【図３】
2018064797.tif 000005
【図４】
2018064797.tif 000006
【図５】
2018064797.tif 000007
【図６】
2018064797.tif 000008
【図７】
2018064797.tif 000009
【図８】
2018064797.tif 000010
【図９】
2018064797.tif 000011
【図１０】
2018064797.tif 000012
【図１１】
2018064797.tif 000013
【図１２】
2018064797.tif 000014
【図１３】
2018064797.tif 000015
【図１４】
2018064797.tif 000016
【図１５】
2018064797.tif 000017